(57)【要約】【課題】土台の構成を工夫することで、土台の剛性を確保する。【解決手段】土台６０は、ダンボールで構成された円形状の底板６１と、敷板部６２ａと上延部６２ｂを備えるベースパーツ６２と、ベースパーツ６２の上延部６２ｂと支柱１５を連結するための連結筒状体６３と、底板６１の底面の前方側に周方向に間隔をあけて配設された支持脚６４とを有する。【選択図】図６
2019030613.tif 000002
【特許請求の範囲】
【請求項１】
ダンボールで構成された人体を模した複数の板状のパーツが組み合わされ、上下方向に延びる支柱によって立設姿勢となるように支持されたダンボール製マネキンであって、
前記支柱の下端部を保持する土台を備え、
前記土台は、
ダンボールで構成された水平方向に広がる底板と、
金属または樹脂製のベースパーツとを備えており、
前記ベースパーツは、下部の板状の敷板部と、
該敷板部から上方に延びる上延部とからなり、
前記敷板部が前記底板に固定されており、
前記上延部が前記支柱と連結されていることを特徴とするダンボール製マネキン。
【請求項２】
請求項１において、
前記底板には、差込孔が形成され、前記ベースパーツの敷板部が、該差孔に差し込まれて、底板に固定されていることを特徴とするダンボール製マネキン。
【請求項３】
請求項２において、
前記底板は、複数のダンボール板が積層されて構成されて、
前記ベースパーツの敷板部は、該複数のダンボール板に挟持されることで固定されていることを特徴とするダンボール製マネキン。
【請求項４】
請求項１乃至３のうち何れか１つにおいて、
前記ベースパーツの上延部と、前記支柱の下端部とを連結する連結筒状体を備え、
該連結筒状体は、内接寸法を前記上延部と前記支柱の外接寸法と略同一として構成して、連結筒状体に前記ベースパーツの上延部を差し込み、前記支柱の下端部を差し込むように構成したことを特徴とするダンボール製マネキン。
【請求項５】
請求項１乃至４のうち何れか１つにおいて、
前記ベースパーツの敷板部を前記底板に固定した状態において、前記ベースパーツの上延部が、前記底板の後方側に位置するように設定されていることを特徴とするダンボール製マネキン。
【請求項６】
請求項１乃至５のうち何れか１つにおいて、
前記底板は、前記底板の前側を上げるために設けられた支持脚を有することを特徴とするダンボール製マネキン。
【請求項７】
請求項１乃至６のうち何れか１つにおいて、
前記底板は、円形に構成されていることを特徴とするダンボール製マネキン。
【発明の詳細な説明】
【技術分野】
【０００１】  本発明は、ダンボール製マネキンに関するものである。
【背景技術】
【０００２】  従来より、人体を複数の板状部材によって構成し、これらの板状部材を人体に纏めて支柱に支持するようにしたボードマネキンが知られている（例えば、特許文献１参照）。【０００３】  特許文献１には、複数の線材を接続してカゴ状に形成したカゴ部材を胴部の背面側に取り付け、カゴ部材に取り付けられたパイプに支柱の上端を差し込むことで、ボードマネキンを支持するようにした構成が開示されている。ここで、支柱は、床上等に置かれる平板状の台板に、ネジ等によって立設されている。
【先行技術文献】
【０００４】
【特許文献】
【特許文献】実用新案登録第３１６４７４６号公報
【発明の概要】
【発明が解決しようとする課題】
【０００５】  ところで、本願発明者らは、さらなる軽量化や製造コストを低減することを目的として、先願である特願２０１７−１３０１５５によって、ダンボールで構成された板状のパーツを組み合わせたダンボール製マネキンを製作することを考えた。【０００６】  しかし、先願で提案したダンボール製マネキンの土台においては、底板に筒状体を貼り付け、その筒状体に支柱の下部を差し込み、連結することでダンボール製マネキンを立設させており、ダンボール製マネキンの上半身を横方向に傾斜させたポーズや、横向きに寝かせたポーズを表現した上で、さらに重量のある衣服を着用させた場合には、底板と筒状体の連結部分に負荷が掛かり、破断することでダンボール製マネキンが転倒する可能性があった。【０００７】  本発明は、かかる点に鑑みてなされたものであり、その目的は、土台の構成を工夫することで、ダンボール製マネキンに上半身を横方向に傾斜させたポーズや、横向きに寝かせたポーズを表現した上で、さらに重量のある衣服を着用させた状態であっても安定してダンボール製マネキンを使用できるようにすることにある。
【課題を解決するための手段】
【０００８】  本発明は、ダンボールで構成された人体を模した複数の板状のパーツが組み合わされ、上下方向に延びる支柱によって立設姿勢となるように支持されたダンボール製マネキンを対象とし、次のような解決手段を講じた。【０００９】  すなわち、第１の発明は、前記支柱の下端部を保持する土台を備え、
前記土台は、
ダンボールで構成された水平方向に広がる底板と、
金属または樹脂製のベースパーツとを備えており、
前記ベースパーツは、下部の板状の敷板部と、
該敷板部から上方に延びる上延部とからなり、
前記敷板部が前記底板に固定されており、
前記上延部が前記支柱と連結されていることを特徴とするものである。【００１０】  第１の発明では、土台の一部に金属または樹脂製のベースパーツを使用することによって、土台本体と支柱の連結強度を高めることができる。【００１１】  第２の発明は、第１の発明において、
前記底板には、差込穴が形成され、前記ベースパーツの敷板部が、該差込穴に差し込まれて、底板に固定されていることを特徴とするものである。【００１２】  第２の発明では、底板に形成された差込穴にベースパーツの敷板部が差し込まれることで、底板とベースパーツが固定されるため、底板とベースパーツの連結強度を高めることができる。【００１３】  第３の発明は、第２の発明において、
前記底板は、複数のダンボール板が積層されて構成されて、
前記ベースパーツの敷板部は、該複数のダンボール板に挟持されることで固定されていることを特徴とするものである。【００１４】  第３の発明では、複数のダンボール板を積層することで底板を構成しているので、１枚のダンボール板のみで底板を構成する場合に比べて、底板の厚み方向の剛性を高めることができるとともに、ベースパーツの敷板部が複数のダンボール板に挟持されることで固定されるため、底板とベースパーツの連結強度をさらに高めることができる。【００１５】  第４の発明は、第１乃至第３の発明のうち何れか１つにおいて、
前記ベースパーツの上延部と、前記支柱の下端部とを連結する連結筒状体を備え、
該連結筒状体は、内接寸法を前記上延部と前記支柱の外接寸法と略同一として構成して、連結筒状体に前記ベースパーツの上延部を差し込み、前記支柱の下端部を差し込むように構成したことを特徴とするものである。【００１６】  第４の発明では、連結筒状体の内接寸法を、
ベースパーツの上延部及び支柱の外接寸法を略同一として構成したので、連結筒状体の中で、ベースパーツの上延部と支柱がほとんど動かないように固定することができる。よって、筒状体に差し込まれている支柱の傾きを抑えることができる。【００１７】  第５の発明は、第１乃至第４の発明のうち何れか１つにおいて、
前記ベースパーツの敷板部を前記底板に固定した状態において、前記ベースパーツの上延部が、前記底板の後方側に位置するように設定されていることを特徴とするものである。【００１８】  第５の発明では、底板に固定したベースパーツの上延部が、底板の後方側（すなわち、ダンボール製マネキンの背面側）に位置するように構成したので、ダンボール製マネキンに衣服等を着用させない状態では、重心が後方側に掛かり、その後、ダンボール製マネキンに衣服等を着用させた際には、重心が前方側に掛かる。このため、ダンボール製マネキンに衣服を着用させた通常の陳列状態において、重心を前後方向の中心付近に保つことができる。【００１９】  第６の発明は、第１乃至第５の発明のうち何れか１つにおいて、
前記底板は、前記底板の前側を上げるために設けられた支持脚を有することを特徴とするものである。【００２０】  第６の発明では、底板に前側を上げるための支持脚を設けるので、ダンボール製マネキンに衣服を着用させて荷重が掛かった状態において、ダンボール製マネキンが前方に倒れることを抑制することができる。【００２１】  第７の発明は、第１乃至第６の発明のうち何れか１つにおいて、
前記底板は、円形に構成されていることを特徴とするものである。【００２２】  第７の発明では、底板を円形に構成するので、全方位に対してほぼ偏りなくストローク長を確保することができるため、例えば、いずれの方向に倒れやすいといった問題の発生を少なくでき、安定してダンボール製マネキンの倒れを抑制することができる。
【発明の効果】
【００２３】  本発明によれば、ダンボール製マネキンの土台の一部に、金属または樹脂製のベースパーツを使用して構成したことで、土台の剛性を高めることができる。よって、ダンボール製マネキンに上半身を横方向に傾斜させたポーズや、横向きに寝かせたポーズを表現した上で、さらに重量のある衣服を着用させても、転倒等することなく、安定してダンボール製マネキンを使用することができる。
【図面の簡単な説明】
【００２４】
【図１】本実施形態に係るダンボール製マネキンの構成を示す正面図である。
【図２】ベースパーツの構成を示す斜視図である。
【図３】底板の構成を示す平面図である。
【図４】土台の構成を示す平面図である。
【図５】底板の構成を示す背面図である。
【図６】土台の構成を示す背面断面図である。
【図７】胴体パーツの展開図である。
【図８】頭パーツを胴体パーツのスリットに差し込んだ状態を示す平面図である。
【図９】頭パーツを左右方向に揺動させた状態を示す背面図である。
【図１０】支持部材の構成を示す平面断面図である。
【図１１】胴体パーツを立設させた状態を示す背面図である。
【図１２】胴体パーツを立設させた状態を示す正面図である。
【図１３】胴体パーツを横向きに寝かせた姿勢で固定した状態を示す正面図である。
【図１４】胴体パーツの高さ位置を調整した状態を示す側面断面図である。
【図１５】支柱の分割構造を説明する正面図である。
【図１６】本変形例に係る支持部材の構成を示す平面断面図である。
【発明を実施するための形態】
【００２５】  以下、本発明の実施形態を図面に基づいて説明する。なお、以下の好ましい実施形態の説明は、本質的に例示に過ぎず、本発明、その適用物或いはその用途を制限することを意図するものではない。各図には、前後左右の方向を矢印で示してある。特に言及しない限り、前後左右の方向についてはこれら矢印で示す方向に従って説明する。
【００２６】  〈全体構成〉
図１に示すように、ダンボール製マネキン１０は、ダンボールで構成された人体を模した複数の板状のパーツが組み合わされ、支柱１５によって立設姿勢となるように支持されている。
【００２７】  ダンボール製マネキン１０は、主に、胴体部分を構成する胴体パーツ２０と、頭部分を構成する頭パーツ３０と、上肢部分を構成する上肢パーツ３５と、下肢部分を構成する下肢パーツ４０とを有する。
【００２８】  胴体パーツ２０の肩部２１には、上肢パーツ３５が取り付けられている。胴体パーツ２０の腰部２５には、下肢パーツ４０が取り付けられている。支柱１５の上端部は、胴体パーツ２０の背面側で腰部２５よりも上方位置に取り付けられている。支柱１５の下端部は、後ほど詳細に説明する土台６０に保持されている。
【００２９】  上肢パーツ３５は、上腕部分を構成する上腕パーツ３６と、前腕部分を構成する前腕パーツ３７と、手部分を構成する手パーツ３８とを有する。上腕パーツ３６の基端部は、関節部材４５を介して胴体パーツ２０の肩部２１に回動可能に支持されている。前腕パーツ３７の基端部は、関節部材４５を介して上腕パーツ３６の先端部に回動可能に支持されている。手パーツ３８の基端部は、関節部材４５を介して前腕パーツ３７の先端部に回動可能に支持されている。
【００３０】  下肢パーツ４０は、大腿部分を構成する大腿パーツ４１と、下腿部分を構成する下腿パツ４２と、足部分を構成する足パーツ４３とを有する。大腿パーツ４１の基端部は、関節部材４５を介して胴体パーツ２０の腰部２５に回動可能に支持されている。下腿パーツ４２の基端部は、関節部材４５を介して大腿パーツ４１の先端部に回動可能に支持されている。足パーツ４３の基端部は、関節部材４５を介して下腿パーツ４２の先端部に回動可能に支持されている。
【００３１】  ここで、関節部材４５は、各パーツを厚み方向の両側から挟み込む一対の部材で構成されている。一方の関節部材４５には、図示しない締結ボルトが設けられ、他方の関節部材４５には、図示しない締結ナットが設けられている。
【００３２】  そして、締結ボルトの締め付け量を緩めることで、各パーツの傾斜角度を可変とする一方、締結ボルトの締め付け量を強くすることで、各パーツを所定の傾斜角度で保持できるようにしている。
【００３３】  なお、関節部材４５は、この形態に限定するものではなく、例えば、図示しない蝶ボルト及び蝶ナットを用いて各パーツを挟み込むようにしてもよい。また、関節部材４５は、例えば、透明の樹脂などで構成することで、目立ち難くさせてもよい。
【００３４】  また、各パーツの傾斜角度を調整して関節部材４５で保持した後、各パーツをダブルクリップ等でさらに把持して補強するようにすれば、各パーツが自重によってずれ動いて意図せずに傾斜角度が変化するのを抑えることができる。
【００３５】  ダンボール製マネキン１０には、シャツ１を着せたり、ズボン２や靴３を履かせることで、商品の展示を行うことができる。また、頭パーツ３０の顔部３１の耳周辺に孔をあけておけば、眼鏡やサングラスを着用することもできる。また、頭パーツ３０の頭部に帽子を被せてもよい。このように、シャツ１やズボン２以外にも様々なアイテムをダンボール製マネキン１０に装着することで、ディスプレイの表現の幅を広げることができる。
【００３６】  〈土台について〉
図２乃至図６に示すように、前述した土台６０は、ダンボールで構成された円形状の底板６１と、敷板部６２ａと上延部６２ｂを備えるベースパーツ６２と、ベースパーツ６２の上延部６２ｂと支柱１５を連結するための連結筒状体６３と、底板６１の底面の前方側に周方向に間隔をあけて配設された支持脚６４とを有している。
【００３７】  底板６１は、複数のダンボール板が積層されて構成されている。本実施形態では、上側から、切り欠き６５ａを有する第一ダンボール板６５、つぶし部６６ａ及び嵌込孔６１ｂを有する第二ダンボール板６６、嵌込孔６１ｂを有する第三ダンボール板６７の順に３枚のダンボール板を上下方向に積層されていることで構成している。
【００３８】  底板６１は、平板円盤状、すなわち、円形に構成されているので、全方位に対してほぼ偏りなくストローク長を確保することができる。このため、例えば、いずれの方向に倒れやすいといった問題の発生を少なくでき、安定してダンボール製マネキン１０の倒れを抑制することができる。
【００３９】  ベースパーツ６２は、水平方向に広がる板状正方形型の敷板部６２ａと、その敷板部６２ａの中心から上方に円筒状に延びる上延部６２ｂから構成されている。
このベースパーツ６２は、底板６１に対して。底板の後方側から、敷板部６２ａが差込孔６１ｃに差し込まれ、また、上延部６２ｂの下部が切り欠き６５ａに差し込まれることで、底板６１に固定されるように構成している。
【００４０】  連結筒状体６３は、所定の長さを有する円筒部材で構成されている。この円筒の内径寸法は、ベースパーツ６２の上延部６２ａと支柱１５の外径寸法と略同一に構成されている。これにより、連結筒状体６３の中に、ベースパーツ６２の上延部６２ａと支柱１５を差し込むと、両者はほとんど動かないように固定されることになる。これにより、支柱１５の傾き（倒れ）を抑えることができる。
【００４１】  支持脚６４は、１枚のダンボールを２つ折りにして、底板６１の嵌込孔６１ｂに嵌め込まれて、底板６１に固定されている。この支持脚６４は、底板６１の前方側を上げるために、前方側にのみ設けられている。このため、ダンボール製マネキン１０が前方に倒れやすくなったとしても、ダンボール製マネキンのバランスが前後方向の中心付近に保てるようにできる。
【００４２】  ここで、支柱１５の上部は、摺動体５２に嵌め込まれているので、胴体パーツ２０は、平面視で支柱１５よりも前方に位置することとなる。そこで、ベースパーツ６２の上延部６２ｂの中心を、底板６１の中心より後方側に位置するよう構成する（すなわち、図４で示すように、Ｌｆ＞Ｌｂとする）ことで、ベースパーツ６２の上延部６２ｂの中心を基準として、底板６１の後方側の長さより、前方側の長さが長くなる。このことで、胴体パーツ２０が前方に倒れようとする力を抑制することができる。
【００４３】  〈胴体パーツについて〉
図７に示すように、胴体パーツ２０には、胴体パーツ２０の上縁部から背面側に折り返された折り返し部２２が一体形成されている。そして、胴体パーツ２０と折り返し部２２との境界部分における左右方向の略中央位置には、左右方向に延びるスリット２３が形成されている。胴体パーツ２０は、ダンボールで構成されているので、例えば、胴体パーツ２０の胸元にネックレスの画像をプリントすることで、ディスプレイの表現の幅を広げることができる。
【００４４】  胴体パーツ２０の肩部２１及び折り返し部２２には、関節部材４５の締結ボルトを挿通させる関節孔１１が形成されている。胴体パーツ２０と折り返し部２２とは、正面視で重なり合っており、肩部２１周辺の剛性を高めることができる。
【００４５】  胴体パーツ２０における肩部２１と腰部２５との間には、左右両側に広がるように延びる左右一対の補強梁部２８が一体形成されている。補強梁部２８を背面側に折り返すことで、胴体パーツ２０の左右両側の厚みが、胸部から腹部にかけてダンボール２枚分となる。これにより、胴体パーツ２０の剛性を高めるとともに、胴体パーツ２０の前後方向の倒れ込みや反りを抑えることができる。
【００４６】  頭パーツ３０は、顔部３１と、顔部３１に一体形成されて下方に延びる首部３２とを有する。頭パーツ３０は、ダンボールで構成されているので、顔部３１に任意の顔をプリントすることで、様々な表情を表現することができる。
【００４７】  図８及び図９に示すように、上腕パーツ３６の基端部は、胴体パーツ２０と折り返し部２２との間に配置されている。そして、上腕パーツ３６は、胴体パーツ２０及び折り返し部２２とともに関節部材４５によって挟持されるとともに、回動可能に支持されている。
【００４８】  頭パーツ３０の首部３２は、胴体パーツ２０と折り返し部２２との境界位置のスリット２３に差し込まれて、胴体パーツ２０と折り返し部２２との間に挟み込まれている。ここで、胴体パーツ２０と折り返し部２２とは、関節部材４５によって挟持されており、頭パーツ３０の首部３２は、上腕パーツ３６とともに、胴体パーツ２０と折り返し部２２との間で保持されることとなる。
【００４９】  これにより、頭パーツ３０を固定するための部品を別途設ける必要が無く、また、頭パーツ３０の首部３２を自由に傾けるとともに、任意の傾斜角度のまま頭パーツ３０を保持することができる。そして、頭パーツ３０を左右方向に傾けることで、首をかしげたような表情の他、人間の様々な表情や仕草などを表現することができる。
【００５０】  胴体パーツ２０の腰部２５には、胴体パーツ２０よりも左右方向に突出する係止部２６が設けられている。係止部２６は、斜め上方に傾斜して延びるフック形状に形成されている。そのため、ダンボール製マネキン１０にズボン２を履かせる際に、腰部２５辺りまでズボン２を持ち上げた後で係止部２６にズボン２を引っ掛けて仮置きして、その後、図示しないクリップ等でズボン２を固定するようにすれば、ズボン２がずり落ちることなく、作業性が向上する。
【００５１】  胴体パーツ２０における腰部２５よりも上方位置で且つ胴体パーツ２０の左右方向の中心位置（具体的には、胴体パーツ２０のへそ位置）には、中心孔２０ａが形成されている。また、胴体パーツ２０における中心孔２０ａよりも上方位置には、中心孔２０ａに沿って周方向に延びる円弧状孔２０ｂが形成されている。
【００５２】  〈支持部材について〉
図１０〜図１２に示すように、胴体パーツ２０の背面側における腰部２５よりも上方位置には、支柱１５の上部に取り付けられて胴体パーツ２０を支持する支持部材５０が設けられている。
【００５３】  支持部材５０は、上下方向に延びる角筒状に形成されて胴体パーツ２０の背面に対向する支持体５１と、上下方向に延びる角筒状に形成されて支持体５１の後側に取り付けられた摺動体５２とを有する。支持体５１と摺動体５２とは、例えば、接着剤によって接着されている。
【００５４】  支持体５１には、胴体パーツ２０に対向する筒壁（図１０では前側壁）に挿通孔５１ａが形成されている。挿通孔５１ａは、胴体パーツ２０の中心孔２０ａと円弧状孔２０ｂに対応して、上下方向に間隔をあけて２つ形成されている。また、図１０で支持体５１の右側壁にも同様に、上下方向に間隔をあけて挿通孔５１ａが２つ形成されている。
【００５５】  胴体パーツ２０と支持体５１との間には、スペーサ部材５３が挟み込まれている。これにより、胴体パーツ２０と支柱１５との間に隙間が設けられるので、この隙間にズボン２を入り込ませて胴体パーツ２０にズボン２を履かせることができる。
【００５６】  また、スペーサ部材５３を、ゴム材などの摩擦係数の高い材料で構成すれば、スペーサ部材が滑り止めとして機能するため、後述するように、胴体パーツ２０を回動させて横向きに寝かせた姿勢で固定したときに、意図せずに胴体パーツ２０が下方に回動するのを抑えることができる。
【００５７】  なお、スペーサ部材５３を挟み込むことなく、胴体パーツ２０と支持体５１とを当接させた状態で固定しても構わない。
【００５８】  胴体パーツ２０と支持部材５０とは、固定部材５５によって固定されている。固定部材５５は、ボルト部材としての蝶ボルト５６と、ナット部材としての蝶ナット５７とを有する。
【００５９】  蝶ボルト５６は、支持体５１の筒内から挿通孔５１ａに挿通されている。下側の挿通孔５１ａに挿通された蝶ボルト５６の軸部は、胴体パーツ２０の中心孔２０ａに挿通されている。上側の挿通孔５１ａに挿通された蝶ボルト５６の軸部は、胴体パーツ２０の円弧状孔２０ｂに挿通されている。
【００６０】  そして、胴体パーツ２０の正面側から蝶ボルト５６の軸部にワッシャ５４を嵌め込み、蝶ボルト５６の軸部の先端に蝶ナット５７を螺合させることで、胴体パーツ２０と支持体５１の筒壁とを、蝶ボルト５６と蝶ナット５７とで挟持するようにしている。これにより、胴体パーツ２０が所定の姿勢を維持した状態で、胴体パーツ２０を支持部材５０に固定することができる。
【００６１】  ここで、胴体パーツ２０は、下側の蝶ボルト５６の軸部を中心に回動可能に支持されている。つまり、下側の蝶ボルト５６の軸部が中心軸となっている。そして、上側及び下側の蝶ナット５７を緩めることで、胴体パーツ２０を下側の蝶ボルト５６を中心に横方向に回動させることができる。胴体パーツ２０を回動させている間、上側の蝶ボルト５６は、胴体パーツ２０の円弧状孔２０ｂ内を相対的に移動する。
【００６２】  胴体パーツ２０を回動させることで、例えば、図１３に示すように、胴体パーツ２０を横向きに寝かせた姿勢など、様々なポーズを表現することができる。そして、胴体パーツ２０を所定の姿勢に維持した状態で、蝶ボルト５６と蝶ナット５７とを締め付けることで、胴体パーツ２０を所定の姿勢で固定することができる。
【００６３】  また、胴体パーツ２０の姿勢を変更する際には、蝶ナット５７を緩めて胴体パーツ２０及び支持部材５０の挟持状態を解除して胴体パーツ２０を回動させるだけでよいため、作業性が向上する。
【００６４】  図１４にも示すように、摺動体５２には、支柱１５の上部が嵌め込まれている。摺動体５２は、支柱１５に沿って上下方向に摺動可能となっている。支柱１５における摺動体５２の下方には、ストッパ部材５８が取り付けられている。ストッパ部材５８は、例えば、スポンジ材などの発泡材で構成され、支柱１５に沿って上下方向に移動させた後で、ストッパ部材５８と支柱１５との摩擦によって所定の高さ位置に保持可能となっている。
【００６５】  そして、摺動体５２を支柱１５に沿って摺動させ、摺動体５２の下部をストッパ部材５８で受け止めることで、摺動体５２がその高さ位置に位置付けられることとなる。これにより、支持部材５０とともに胴体パーツ２０を上下方向に移動させて胴体パーツ２０の高さ位置の調整をすることができる。
【００６６】  〈支柱について〉
図１５に示すように、支柱１５は、上側柱部１６と、下側柱部１７とに分割可能に構成されている。具体的に、上側柱部１６及び下側柱部１７は、円筒状に形成されている。下側柱部１７の上端部には、上側柱部１６の筒内径と略同じ外径のジョイント部１８が設けられている。上側柱部１６は、下側柱部１７のジョイント部１８に嵌め込まれている。
【００６７】  支柱１５の下端部は、土台６０の連結筒状体６３に挿通されており、支柱１５を上方に引っ張ることで、土台６０から引き抜くことができる。
【００６８】  ここで、ダンボール製マネキン１０を分解して持ち運ぶ際に用いる運搬ケース（図示省略）の大きさは、支柱１５の全長に依存するため、土台６０から支柱１５を引き抜き、支柱１５を上側柱部１６と下側柱部１７とに分割することで、運搬ケースがコンパクトな構成となり、持ち運び易くなる。そして、設置現場で上側柱部１６と下側柱部１７とを繋ぐことで、１本の支柱１５を構成することができる。
【００６９】  《変形例》
図１６に示すように、本変形例では、胴体パーツ２０に対する支持部材５０の取り付けを、前記実施形態１の図１０に示す支持部材５０とは異なる方向で行うようにしている。
【００７０】  具体的に、図１０に示す例では、支持部材５０の支持体５１と摺動体５２とが前後方向に並ぶように、胴体パーツ２０の背面に支持部材５０を取り付けている。そして、支持体５１の前側の筒壁と右側の筒壁とに、挿通孔５１ａが形成されている。
【００７１】  これに対し、図１６に示す例では、支持部材５０の支持体５１と摺動体５２とが左右方向に並ぶように、胴体パーツ２０の背面に支持部材５０を取り付けている。具体的には、図１０で右側の筒壁が胴体パーツ２０の背面に対向するように、支持体５１を反時計回り方向に９０°回転させた状態で、胴体パーツ２０の背面に支持部材５０を取り付けている。
【００７２】  このように、支持体５１の筒壁の一側面と、この面に直交する他側面とに、それぞれ挿通孔５１ａを形成しておけば、１つの支持部材５０を用いて、胴体パーツ２０に対する支持部材５０の取付方向を切り替えることができる。
【００７３】  本変形例では、図１６に示すように、支持体５１と摺動体５２とが左右方向に並ぶように、胴体パーツ２０の背面に支持部材５０を取り付けている。この状態で、摺動体５２に支柱１５を嵌め込むと、胴体パーツ２０と支柱１５との距離が近づくこととなり、胴体パーツ２０の重心位置の近くで、支柱１５によって胴体パーツ２０を支持することができる。
【００７４】  また、支持部材５０の支持体５１と摺動体５２とが左右方向に並ぶ配置としたことで、支柱１５が、胴体パーツ２０の中心位置よりも右側に離れた位置で立設することとなる。これにより、展示用のダンボール製マネキン１０に履かせる際に、右足の下肢パーツ４０とともに支柱１５をズボン２に挿通させることができる。
【００７５】  《その他の実施形態》
前記実施形態については、以下のような構成としてもよい。
【００７６】  本実施形態では、胴体パーツ２０を支柱１５のみで立設姿勢となるように支持する構成としているが、ダンボール製マネキン１０が転倒したり、胴体パーツ２０が自重によって前傾姿勢とならないように、図示しないクリップで支持部材５０の筒壁を挟み、クリップにテグスを結び付けておくことで、支持部材５０を後方から引っ張って支えるようにしてもよい。
【００７７】  また、本実施形態では、人体の全身を模したダンボール製マネキン１０について説明したが、例えば、胴体パーツ２０から下肢パーツ４０を除いた上半身のみでダンボール製マネキン１０を形成して、卓上に展示できるようなコンパクトな構成としてもよい。
【産業上の利用可能性】
【００７８】  以上説明したように、本発明は、ダンボール製マネキンの土台の一部に、金属または樹脂製のベースパーツを使用して構成したことで、土台の剛性を高めることができるという実用性の高い効果が得られることから、きわめて有用で産業上の利用可能性は高い。
【符号の説明】
【００７９】  １０      ダンボール製マネキン
１５      支柱
６０      土台
６１      底板
６１ｃ    差込孔
６２      ベースパーツ
６２ａ    敷板部
６２ｂ    上延部
６３      連結筒状体
６４      支持脚
【図１】
2019030613.tif 000003
【図２】
2019030613.tif 000004
【図３】
2019030613.tif 000005
【図４】
2019030613.tif 000006
【図５】
2019030613.tif 000007
【図６】
2019030613.tif 000008
【図７】
2019030613.tif 000009
【図８】
2019030613.tif 000010
【図９】
2019030613.tif 000011
【図１０】
2019030613.tif 000012
【図１１】
2019030613.tif 000013
【図１２】
2019030613.tif 000014
【図１３】
2019030613.tif 000015
【図１４】
2019030613.tif 000016
【図１５】
2019030613.tif 000017
【図１６】
2019030613.tif 000018